(57)【要約】【課題】ユーザにとって目障りになることを抑制しつつ、筆記具の記入状態に応じて表示手段の表示状態を変化させることができる情報入力装置を提供する。【解決手段】読取部に配置された紙媒体に情報を記入する電子ペンの位置が検出される。検出された電子ペンの軌跡を示す線画データが取得される。ペンアップからペンダウンに変化した場合（Ｓ１３：ＹＥＳ）、表示部の表示状態が記入報知パターンに制御される（Ｓ１９）。ペンダウンからペンアップに変化した時点からの経過時間（カウンタｄＣＮＴ）がディレイ時間ＤＴを超えた場合（Ｓ７：ＹＥＳ）、表示部の表示状態が通常パターンに制御される（Ｓ１１）。【選択図】図４
2015064690.tif 000002
【特許請求の範囲】
【請求項１】
紙媒体を配置可能であり、且つ配置された前記紙媒体に情報を記入する筆記具の位置を検出可能な検出手段と、
前記検出手段によって検出された前記筆記具の軌跡を示す線画データを取得するデータ取得手段と、
複数パターンの表示状態を切り替え可能な表示手段と、
前記検出手段が前記筆記具を検出していない状態である第一状態から、前記検出手段が前記筆記具を検出している状態である第二状態に変化した場合、前記表示手段の表示状態を第一パターンに制御する第一表示制御手段と、
前記第二状態から前記第一状態に変化した場合、変化した時点からの経過時間をカウントするカウント手段と、
前記カウント手段によってカウントされた前記経過時間が、記憶手段に記憶されている所定のディレイ時間を超えた場合、前記表示手段の表示状態を前記第一パターンとは異なる第二パターンに制御する第二表示制御手段と
を備えたことを特徴とする情報入力装置。
【請求項２】
前記記憶手段に記憶されている前記ディレイ時間を、ユーザの操作に応じて設定する第一設定手段を備えたことを特徴とする請求項１に記載の情報入力装置。
【請求項３】
前記データ取得手段によって取得された最新の前記線画データに基づいて、前記筆記具の移動速度を特定する速度特定手段と、
前記速度特定手段によって特定された前記移動速度に基づいて、前記記憶手段に記憶されている前記ディレイ時間を設定する第二設定手段と
を備えたことを特徴とする請求項１に記載の情報入力装置。
【請求項４】
前記データ取得手段によって取得された複数の前記線画データに基づいて、時系列に隣り合う二つの前記線画データ毎に、先に取得された前記線画データが示す前記軌跡の末尾が検出された時点から、後に取得された前記線画データが示す前記軌跡の先頭が検出された時点までの間隔時間を取得し、取得した複数の前記間隔時間の統計値を特定する統計値特定手段と、
前記統計値特定手段によって特定された前記統計値に基づいて、前記記憶手段に記憶されている前記ディレイ時間を設定する第三設定手段と
を備えたことを特徴とする請求項１に記載の情報入力装置。
【請求項５】
前記統計値特定手段は、前記複数の間隔時間の平均値、前記複数の間隔時間のうちで最多の前記間隔時間が分類される時間幅、前記複数の間隔時間の最大値、のいずれかに基づいて、前記統計値を特定することを特徴とする請求項４に記載の情報入力装置。
【請求項６】
前記データ取得手段によって取得された前記線画データが所定の指示を示す場合、前記第一パターン及び前記第二パターンの何れかに制御されている前記表示手段の表示状態を、前記第一パターン及び前記第二パターンとは異なる第三パターンに切り替える第三表示制御手段を備えたことを特徴とする請求項１から５のいずれかに記載の情報入力装置。
【発明の詳細な説明】
【技術分野】
【０００１】
本発明は、紙媒体に対して情報を記入する筆記具の軌跡を電子化可能な情報入力装置に関する。
【背景技術】
【０００２】
従来、台座上に載置された紙媒体に対して情報を記入する筆記具の軌跡を、紙媒体に記入された情報の線画データとして電子化する装置が知られている。例えば、特許文献１に開示の筆記入力装置では、ユーザは手書き入力部のステージ上に紙媒体を載置する。筆記入力装置は、ユーザが電磁ペンを使用して紙媒体上で筆記すると、紙媒体に書き込まれた筆記位置の座標が手書き入力部によって検出し、検出した筆記位置が示す加筆データを生成する。
【０００３】
筆記具の記入状態に応じて、ＬＥＤの発光を制御する装置が知られている。例えば、特許文献２に記載の筆記入力装置は、筆記具であるペンがエディットパッド部から離れると（以下、ペンアップされる）と、領域指定が可能であることを示すＬＥＤを点滅表示する。ペンがエディットパッド部に押圧される（以下、ペンダウンされる）と、領域入力中であると認識して、領域指定が可能であることを示すＬＥＤを点灯表示する。
【先行技術文献】
【特許文献】
【０００４】
【特許文献１】特開平６−１２４３３５号公報
【発明の概要】
【発明が解決しようとする課題】
【０００５】
当業者は上記の公知技術に基づいて、手書き入力部に対してペンダウンされた場合と、手書き入力部に対してペンアップされた場合とで、ＬＥＤの発光態様を変化させる筆記入力装置を想到可能である。例えば筆記入力装置は、ペンダウン中はＬＥＤをＯＮにする一方、ペンアップ中はＬＥＤをＯＦＦにする。これによりユーザは、筆記入力装置が筆記具の軌跡を取得しているか否かを容易に判別できる。しかしながら、ユーザがペンダウン及びペンアップを短時間で交互に行うと、ＬＥＤが頻繁にＯＮ及びＯＦＦに切り替わるため、ユーザにとって目障りになる可能性があった。
【０００６】
本発明の目的は、ユーザにとって目障りになることを抑制しつつ、筆記具の記入状態に応じて表示手段の表示状態を変化させることができる情報入力装置を提供することである。
【課題を解決するための手段】
【０００７】
本発明の一態様に係る情報入力装置は、紙媒体を配置可能であり、且つ配置された前記紙媒体に情報を記入する筆記具の位置を検出可能な検出手段と、前記検出手段によって検出された前記筆記具の軌跡を示す線画データを取得するデータ取得手段と、複数パターンの表示状態を切り替え可能な表示手段と、前記検出手段が前記筆記具を検出していない状態である第一状態から、前記検出手段が前記筆記具を検出している状態である第二状態に変化した場合、前記表示手段の表示状態を第一パターンに制御する第一表示制御手段と、前記第二状態から前記第一状態に変化した場合、変化した時点からの経過時間をカウントするカウント手段と、前記カウント手段によってカウントされた前記経過時間が、記憶手段に記憶されている所定のディレイ時間を超えた場合、前記表示手段の表示状態を前記第一パターンとは異なる第二パターンに制御する第二表示制御手段とを備える。
【０００８】
本態様の情報入力装置では、検出手段に配置された紙媒体に情報を記入する筆記具の位置が検出される。検出された筆記具の軌跡を示す線画データが取得される。筆記具が検出されていない第一状態から筆記具が検出されている第二状態に変化した場合、表示手段の表示状態が第一パターンに制御される。第二状態から第一状態に変化した時点からの経過時間が所定のディレイ時間を超えた場合、表示手段の表示状態が第二パターンに制御される。これによれば、筆記具が紙媒体から離れる時間がディレイ時間未満となるように、ユーザが筆記具を用いて紙媒体に情報が記入し続けている間、表示手段の表示状態は第一パターンから変化しない。ユーザにとって目障りになることを抑制しつつ、筆記具の記入状態に応じて表示手段の表示状態を変化させることができる。
【図面の簡単な説明】
【０００９】
【図１】手書入力システム１の概要を示す図である。
【図２】読取装置２の平面図である。
【図３】読取装置２及びＰＣ１９の電気的構成を示すブロック図である。
【図４】第一実施形態の表示制御処理のフローチャートである。
【図５】第一実施形態における表示部５の表示状態の変化を示すタイミングチャートである。
【図６】第二実施形態の表示制御処理のフローチャートである。
【図７】第二実施形態における表示部５の表示状態の変化を示すタイミングチャートである。
【図８】第三実施形態の表示制御処理のフローチャートである。
【図９】統計テーブル９０の構成を示す図である。
【図１０】第四実施形態の表示制御処理のフローチャートである。
【発明を実施するための形態】
【００１０】
本発明の実施形態を、図面を参照して説明する。図１及び図２を参照して、本実施形態に係る手書入力システム１の概要を説明する。以下の説明では、便宜的に、図１の左上側、右下側、上側、下側、右上側、左下側が、各々、読取装置２の左側、右側、前側、後側、上側、下側である。
【００１１】
図１に示すように、手書入力システム１は、読取装置２、電子ペン３、ＰＣ１９等を含む。読取装置２は、折り畳んで携行可能な、薄型軽量の手書き入力装置である。手書入力システム１では、ユーザは電子ペン３を用いて、読取装置２に固定された紙媒体１００の用紙１１１に、線画によって情報を記入する。線画は、文字、数値、記号、及び図形等を含む。読取装置２は、電子ペン３の位置を検出する。読取装置２は、経時的に検出された電子ペン３の複数の位置に基づいて、電子ペン３の軌跡を特定する。
【００１２】
図２に示すように、読取装置２は、左右一対の読取部２Ｌ，２Ｒ、フラットケーブル６、及びカバー４を含む。読取部２Ｌ，２Ｒは、いずれも矩形薄板状であり、カバー４の前面に左右方向に見開き可能に配置されている。読取部２Ｌ，２Ｒは、フラットケーブル６によって電気的に接続されている。読取部２Ｌは、カバー４の左側に設けられている袋部４Ａの内側に収容される。読取部２Ｒは、例えば両面テープによって、カバー４の右前面に貼り付けられる。読取部２Ｒの上端に、３つのＬＥＤを有する表示部５が設けられている。表示部５は、複数パターンの表示状態を切り替え可能である。表示部５の表示状態によって、読取装置２の状態をユーザに通知可能である。
【００１３】
図１に示すように、紙媒体１００は、左右方向に見開き可能な冊子状である。紙媒体１００では、一対の表紙１１０Ｌ，１１０Ｒと複数の用紙１１１が、各々の縁部の一部で綴じられている。紙媒体１００は、読取装置２の前面に着脱可能である。表紙１１０Ｌが読取部２Ｌの上面に載置され、且つ、表紙１１０Ｒが読取部２Ｒの上面に載置されるように、紙媒体１００は読取装置２に装着される。表紙１１０Ｌ，１１０Ｒは各々、例えば両面テープによって、読取部２Ｌ，２Ｒに貼り付けられる。読取部２Ｌ，２Ｒは各々、表紙１１０Ｌ，１１０Ｒと一体的に移動可能である。
【００１４】
ユーザは電子ペン３を用いて、読取装置２に装着された紙媒体１００の用紙１１１に情報を記入できる。本実施形態では、用紙１１１の右下部分に、保存チェックボックス１１１Ａが印刷されている。保存チェックボックス１１１Ａは、ユーザが用紙１１１に記入した情報を確定する場合に、チェックマークを入力するための領域である。
【００１５】
電子ペン３は、公知の電磁誘導式の電子ペンであり、略円筒状の筒体３０を有する。筒体３０の内部に、芯体３１の一部、コイル３２、可変容量コンデンサ３３、基板３４、コンデンサ３５、及びインク収納部３６が収容される。芯体３１は、電子ペン３の先端部に設けられている。芯体３１は図示外の弾性部材によって、電子ペン３の先端側に付勢されている。芯体３１の先端部は、筒体３０の外部に突出している。芯体３１の後端側は、インクを収納するインク収納部３６に接続されている。インク収納部３６は、芯体３１にインクを供給する。ユーザが電子ペン３を用いて用紙１１１に記入すると、インクによって用紙１１１に線画が形成される。
【００１６】
コイル３２は、インク収納部３６の周囲に巻回された状態で、芯体３１と可変容量コンデンサ３３との間に保持されている。可変容量コンデンサ３３は、基板３４によって電子ペン３の内部に固定されている。基板３４には、コンデンサ３５が搭載されている。コンデンサ３５及び可変容量コンデンサ３３はコイル３２に並列に接続され、周知の共振（同調）回路を構成する。
【００１７】
ＰＣ１９は、汎用のパーソナルコンピュータであり、入力部１９１及びディスプレイ１９２を含む。ＰＣ１９は、読取装置２で特定された電子ペン３の軌跡のデータ（以下、線画データという。）に基づいて、用紙１１１に記入された線画を電子化する。これにより、用紙１１１に記入された情報を示す画像ファイルが作成される。
【００１８】
図３を参照して、手書入力システム１の電気的構成を説明する。読取装置２は、表示部５、センサ基板７Ｌ，７Ｒ、メイン基板２０、及びセンサ制御基板２８，２９を備える。センサ基板７Ｌ，７Ｒは、夫々、読取部２Ｌ，２Ｒの内部に設けられる。メイン基板２０は、ＣＰＵ２１、ＲＡＭ２２、フラッシュＲＯＭ２３、及び無線通信部２４を備える。ＣＰＵ２１は、読取装置２の制御を行う。ＲＡＭ２２は、演算データ等の各種データを一時的に記憶する。フラッシュＲＯＭ２３は、ＣＰＵ２１が読取装置２を制御するために実行する各種プログラムを記憶する。フラッシュＲＯＭ２３は、線画データを記憶する。無線通信部２４は、外部の電子機器と近距離無線通信を実行するためのコントローラである。
【００１９】
センサ基板７Ｌ，７Ｒに、Ｘ軸方向及びＹ軸方向の各々に細長いループコイルが多数配列されている。センサ基板７Ｌは、センサ制御基板２８のＡＳＩＣ２８Ａに電気的に接続されている。センサ基板７Ｒは、センサ制御基板２９のＡＳＩＣ２９Ａに電気的に接続されている。ＡＳＩＣ２８Ａ，２９Ａのうち、マスター側のＡＳＩＣ２８ＡはＣＰＵ２１に直接接続され、スレーブ側のＡＳＩＣ２９ＡはＡＳＩＣ２８Ａを介してＣＰＵ２１に接続されている。
【００２０】
線画データが取得される原理を、概略的に説明する。ＣＰＵ２１はＡＳＩＣ２８Ａ，２９Ａを制御して、センサ基板７Ｌ，７Ｒの各々のループコイルに、一本ずつ特定の周波数の電流（励磁用送信電流）を流す。これにより、センサ基板７Ｌ，７Ｒの各々のループコイルから磁界が発生する。この状態で、例えばユーザが電子ペン３を用いて、読取装置２に固定された紙媒体１００の用紙１１１に線画を記入する動作を行うと、電子ペン３はセンサ基板７Ｌ，７Ｒに近接する。そのため、電子ペン３の共振回路は電磁誘導によって共振し、誘導磁界を生じる。
【００２１】
次に、ＣＰＵ２１はＡＳＩＣ２８Ａ，２９Ａを制御して、センサ基板７Ｌ，７Ｒの各々のループコイルからの磁界の発生を停止させる。センサ基板７Ｌ，７Ｒの各々のループコイルは、電子ペン３の共振回路から発せられる誘導磁界を受信する。ＣＰＵ２１はＡＳＩＣ２８Ａ，２９Ａを制御して、センサ基板７Ｌ，７Ｒの各々のループコイルに流れる信号電流（受信電流）を検出させる。ＡＳＩＣ２８Ａ，２９Ａがこの動作を全てのループコイルについて一本ずつ実行することで、受信電流に基づいて電子ペン３の位置が座標情報として検出される。
【００２２】
電子ペン３を用いて用紙１１１に線画が記入されている状態では、芯体３１に筆圧が付与される。コイル３２のインダクタンスは、芯体３１に付与される筆圧に応じて変化する。これにより、芯体３１に付与される筆圧に応じて、電子ペン３の共振回路の共振周波数が変化する。ＣＰＵ２１は、共振周波数の変化（位相変化）を検出して、電子ペン３に付与された筆圧を特定する。ＣＰＵ２１は、特定した筆圧によって、用紙１１１に線画が記入されている状態であるか否かを判断できる。
【００２３】
つまり、ＣＰＵ２１は、用紙１１１に線画を記入している電子ペン３を検出している場合、用紙１１１に線画が記入されている状態（以下、ペンダウン）であると判断する。ＣＰＵ２１は、用紙１１１に線画を記入している電子ペン３を検出していない場合、用紙１１１に線画が記入されていない状態（以下、ペンアップ）であると判断する。ＣＰＵ２１は、ペンダウンを検知した場合、電子ペン３の軌跡を示す線画データを取得し、ＲＡＭ２２に一時記憶する。線画データは、軌跡上の複数の位置を示す複数の座標情報を含む。
【００２４】
本実施形態では、ＣＰＵ２１は線画データが示す線画の位置に基づいて、保存チェックボックス１１１Ａ（図１参照）にチェックマークが入力されたか否かを判断できる。ＣＰＵ２１は、保存チェックボックス１１１Ａにチェックマークが入力されたと判断した場合、ＲＡＭ２２に一時記憶されている線画データを、フラッシュＲＯＭ２３に保存する。これにより、用紙１１１に記入された情報を示す複数の線画データが、フラッシュＲＯＭ２３に用紙１１１毎に記憶される。
【００２５】
ＰＣ１９は、ＣＰＵ４１，ハードディスクドライブ（ＨＤＤ）４２、ＲＡＭ４３、無線通信部４４、入力回路４５、出力回路４６、入力部１９１、及びディスプレイ１９２を含む。ＣＰＵ４１は、ＰＣ１９の制御を行う。ＨＤＤ４２は、ＣＰＵ４１が実行する各種プログラムを記憶する。ＲＡＭ４３は、種々の一時データを記憶する。無線通信部４４は、外部の電子機器と近距離無線通信を実行するためのコントローラである。入力回路４５は、ＣＰＵ４１へ入力部１９１からの指示を送る制御を行う。出力回路４６は、ＣＰＵ４１からの指示に応じてディスプレイ１９２に画像を表示する制御を行う。
【００２６】
ＣＰＵ４１は、読取装置２から線画データを取得する指示が入力された場合、無線通信部４４を介して読取装置２との間で近距離無線通信を実行する。読取装置２のフラッシュＲＯＭ２３に記憶されている線画データは、読取装置２からＰＣ１９に転送される。ＣＰＵ４１は、読取装置２から転送された線画データをＲＡＭ４３に記憶する。ＣＰＵ４１は、ＲＡＭ４３に記憶した線画データに基づく画像に対して公知のＯＣＲ処理を実行することで、用紙１１１に記入された情報を取得できる。
【００２７】
図４及び図５を参照し、第一実施形態の表示制御処理を説明する。読取装置２の電源がＯＮされた場合、ＣＰＵ２１がフラッシュＲＯＭ２３に記憶されたプログラムを実行することで、表示制御処理を開始する（後述の第二〜第四実施形態も同様）。
【００２８】
なお、ＣＰＵ２１は、読取装置２が電源ＯＮされた場合、読取装置２にエラーが発生している場合を除いて、表示部５の表示状態を通常パターンに制御する（後述の第二〜第四実施形態も同様）。通常パターンは、読取装置２が電子ペン３による情報記入を待ち受ける状態（以下、待機状態）であることを示す、表示部５の表示状態である。例えば表示部５が通常パターンである場合、表示部５が有する３つのＬＥＤがいずれも白色で発光する。ユーザは、通常パターンの表示部５を目視することで、読取装置２が待機状態であることを認識できる。
【００２９】
図４に示すように、第一実施形態の表示制御処理では、フラグｄＦＬＧ、カウンタｄＣＮＴ、及びディレイ時間ＤＴが、ＲＡＭ２２に記憶される（Ｓ１）。フラグｄＦＬＧは、ペンアップが検知されたか否かを示すフラグである。カウンタｄＣＮＴは、ペンアップが検知された時点からの経過時間を示すカウンタである。ディレイ時間ＤＴは、ペンアップが検知された時点から起算した、表示部５の表示状態を後述の記入報知パターンに切り替える経過時間を示す。
【００３０】
ステップＳ１では、ペンアップが検知されていないことを示す「Ｆａｌｓｅ」が、ＲＡＭ２２のフラグｄＦＬＧに設定される。初期値「０」が、ＲＡＭ２２のカウンタｄＣＮＴに設定される。本実施形態では、ユーザが自由に設定した値（ユーザ設定値）が、フラッシュＲＯＭ２３に記憶されている。フラッシュＲＯＭ２３に記憶されているユーザ設定値が、ＲＡＭ２２のディレイ時間ＤＴに設定される。なお、フラッシュＲＯＭ２３にユーザ設定値が記憶されていない場合、所定の初期値（例えば、０．５秒）がＲＡＭ２２のディレイ時間ＤＴに設定される。
【００３１】
次いで、ＲＡＭ２２のフラグｄＦＬＧが、ペンアップが検知されたことを示す「Ｔｒｕｅ」であるか否かが判断される（Ｓ３）。フラグｄＦＬＧが「Ｔｒｕｅ」である場合（Ｓ３：ＹＥＳ）、ＲＡＭ２２のカウンタｄＣＮＴが「０．１」加算される（Ｓ５）。ＲＡＭ２２のカウンタｄＣＮＴが、ＲＡＭ２２のディレイ時間ＤＴよりも大であるか否かが判断される（Ｓ７）。カウンタｄＣＮＴがディレイ時間ＤＴよりも大である場合（Ｓ７：ＹＥＳ）、ＲＡＭ２２のフラグｄＦＬＧが「Ｆａｌｓｅ」に設定される（Ｓ９）。表示部５の表示状態が通常パターンに制御される（Ｓ１１）。
【００３２】
フラグｄＦＬＧが「Ｆａｌｓｅ」である場合（Ｓ３：ＮＯ）、先述したように受信電流及び位相変化に基づいて、ペンダウンを検知したか否かが判断される（Ｓ１３）。カウンタｄＣＮＴがディレイ時間ＤＴ以下である場合（Ｓ７：ＮＯ）、又はステップＳ１１の実行後も、ペンダウンを検知したか否かが判断される（Ｓ１３）。ペンダウンが検知された場合（Ｓ１３：ＹＥＳ）、ＲＡＭ２２のフラグｄＦＬＧが「Ｔｒｕｅ」であるか否かが判断される（Ｓ１５）。フラグｄＦＬＧが「Ｔｒｕｅ」である場合（Ｓ１５：ＹＥＳ）、ＲＡＭ２２のフラグｄＦＬＧが「Ｆａｌｓｅ」に設定される（Ｓ１７）。なお、ペンアップが検知されなかった場合（Ｓ１３：ＮＯ）、処理はステップＳ３に戻る。
【００３３】
フラグｄＦＬＧが「Ｆａｌｓｅ」である場合（Ｓ１５：ＮＯ）、又はステップＳ１７の実行後、表示部５の表示状態が記入報知パターンに制御される（Ｓ１９）。記入報知パターンは、読取装置２が電子ペン３による情報記入を受け付けている状態（以下、記入中状態）であることを示す、表示部５の表示状態である。例えば表示部５が記入報知パターンである場合、表示部５が有する３つのＬＥＤがいずれも赤色で点滅する。ユーザは、記入報知パターンの表示部５を目視することで、読取装置２が記入中状態であることを認識できる。
【００３４】
次いで、先述したように受信電流及び位相変化に基づいて、ペンアップを検知したか否かが判断される（Ｓ２１）。ペンアップが検知された場合（Ｓ２１：ＹＥＳ）、ＲＡＭ２２のフラグｄＦＬＧが「Ｔｒｕｅ」に設定され、且つＲＡＭ２２のカウンタｄＣＮＴに「０」が設定される（Ｓ２３）。ペンアップが検知されなかった場合（Ｓ２１：ＮＯ）、処理がＳ２１に戻ることによって、ペンアップの検知が待ち受けられる。なお、ステップＳ２３の実行後、処理はステップＳ３に戻る。本実施形態では、０．１秒ごとに処理がステップＳ３に戻る。
【００３５】
第一実施形態の表示制御処理（図４参照）によって、表示部５の表示状態が次のように変化する。読取装置２が電源ＯＮされた場合、表示部５はペンダウンされるまで通常パターンに制御される（Ｓ１、Ｓ３：ＮＯ、Ｓ１３、ＮＯ）。ペンダウンされると、表示部５は通常パターンから記入報知パターンに変化する（Ｓ１３：ＹＥＳ、Ｓ１５：ＹＥＳ、Ｓ１７、Ｓ１９）。その後、ペンアップされると、カウンタｄＣＮＴのカウントアップが開始される（Ｓ２１：ＹＥＳ、Ｓ２３、Ｓ３：ＹＥＳ、Ｓ５）。カウンタｄＣＮＴのカウントアップは、再度ペンダウンされるまで継続される（Ｓ１３：ＮＯ、Ｓ３：ＹＥＳ、Ｓ５）。
【００３６】
カウンタｄＣＮＴがディレイ時間ＤＴ（つまり、ユーザ設定値）に達する前にペンダウンされると、表示部５は記入報知パターンに制御されるため、表示部５は記入報知パターンから変化しない（Ｓ１３：ＹＥＳ、Ｓ１５：ＹＥＳ、Ｓ１７、Ｓ１９）。一方、ペンダウンされることなくカウンタｄＣＮＴがディレイ時間ＤＴを超えると、表示部５は記入報知パターンから通常パターンに変化する（Ｓ７：ＹＥＳ、Ｓ９、Ｓ１１）。この場合、表示部５はペンダウンされるまで通常パターンに制御される（Ｓ３：ＮＯ、Ｓ１３、ＮＯ）。ペンダウンされると、表示部５は通常パターンから記入報知パターンに変化する（Ｓ１３：ＹＥＳ、Ｓ１５：ＮＯ、Ｓ１９）。
【００３７】
図５は、ユーザが７回のペンダウンによって用紙１１１に情報を記入した場合における、表示部５の表示状態の変化を示している。本例では、ディレイ時間ＤＴにユーザ設定値「０．５秒」が設定されている。ユーザが１回目のペンダウンを行うと、表示部５は記入報知パターンから通常パターンに変化する。１回目のペンアップ（０．３秒）は０．５秒以下であるため、表示部５は記入報知パターンから変化しない。同様に、２回目、４回目、５回目、及び６回目の各ペンアップも０．５秒以下であるため、表示部５は記入報知パターンから変化しない。
【００３８】
３回目のペンアップ（０．７秒）では、ペンアップから０．５秒を超えた時点で、表示部５は記入報知パターンから通常パターンに変化する。表示部５は、通常パターンが０．２秒継続したのち、４回目のペンダウンによって記入報知パターンに変化する。ユーザが７回目のペンダウンを行ったのち、０．５秒が経過すると、表示部５は記入報知パターンから通常パターンに変化する。
【００３９】
以上説明したように、第一実施形態によれば、読取部２Ｌ，２Ｒに配置された紙媒体１００に情報を記入する電子ペン３の位置が検出される。検出された電子ペン３の軌跡を示す線画データが取得される。ペンアップからペンダウンに変化した場合、表示部５の表示状態が記入報知パターンに制御される。ペンダウンからペンアップに変化した時点からの経過時間（カウンタｄＣＮＴ）がディレイ時間ＤＴを超えた場合、表示部５の表示状態が通常パターンに制御される。
【００４０】
これによれば、電子ペン３が紙媒体１００から離れる時間がディレイ時間ＤＴ未満となるように、ユーザが電子ペン３を用いて紙媒体１００に情報が記入し続けている間、表示部５の表示状態は記入報知パターンから変化しない。ユーザにとって目障りになることを抑制しつつ、電子ペン３の記入状態に応じて表示部５の表示状態を変化させることができる。さらに第一実施形態では、ユーザの操作に応じて設定された値（ユーザ設定値）が、ディレイ時間ＤＴに設定される（Ｓ１）。したがって、ユーザ毎に違和感を生じない最適なディレイ時間ＤＴを、ユーザが自由に設定できる。
【００４１】
図６及び図７を参照し、第二実施形態の表示制御処理を説明する。第二実施形態の表示制御処理では、フラグｄＦＬＧ、カウンタｄＣＮＴ、及びディレイ時間ＤＴが、ＲＡＭ２２に記憶される（Ｓ５１）。ステップＳ５１では、ＲＡＭ２２のフラグｄＦＬＧに、「Ｆａｌｓｅ」が設定される。ＲＡＭ２２のカウンタｄＣＮＴに「０」が設定される。
【００４２】
本実施形態では、あらかじめ３パターンの設定値（Ｌｏｗ、Ｍｉｄ、Ｈｉｇｈ）が、フラッシュＲＯＭ２３に記憶されている。Ｌｏｗは、最も大きい設定値であり、例えば「０．７」である。Ｈｉｇｈは、最も小さい設定値であり、例えば「０．３」である。Ｍｉｄは、ＬｏｗとＨｉｇｈとの間の設定値であり、例えば「０．５」である。ステップＳ５１では、ＲＡＭ２２のディレイ時間ＤＴに、Ｍｉｄが設定される。
【００４３】
ステップＳ５１以降に実行されるステップＳ５３〜Ｓ７１の各処理は、第一実施形態のステップＳ３〜Ｓ２１（図４参照）の各処理と同じであるため、説明を省略する。ステップＳ７１の実行後、ＲＡＭ２２又はフラッシュＲＯＭ２３に記憶されている最新の線画データに基づいて、直前の筆記速度Ｌが取得される（Ｓ７９）。直前の筆記速度Ｌは、最新の線画データが示す軌跡の筆記速度のうち、軌跡の末尾部分の筆記速度である。直前の筆記速度Ｌは、最新の線画データに含まれる、軌跡の末尾部分を示す複数の座標情報の座標間距離に基づいて算出すればよい。
【００４４】
具体的には、線画データは、均等な時間間隔（例えば、０．０１秒）で取得された複数の座標情報を含む。最新の線画データに含まれる座標情報のうち、末尾の所定時間（例えば０．１秒）に取得された複数の座標情報に基づいて、時系列に隣り合う座標情報が示す座標間距離の平均値が算出される。 例えば最新の線画データが３．０秒間のペンダウンで記入された線画の軌跡を示す場合、ペンダウン末尾の０．１秒間に取得された複数の座標情報に基づいて、座標間距離の平均値（例えば、０．１ｍｍ）が算出される。算出された座標間距離の平均値「０．１ｍｍ」と、座標情報が取得される時間間隔「０．０１秒」とに基づいて、直前の筆記速度Ｌ「秒速１０ｍｍ」が算出される。
【００４５】
ステップＳ７９で取得された直前の筆記速度Ｌが「高速」であるか否かが判断される（Ｓ８１）。例えば直前の筆記速度Ｌが「秒速５０ｍｍ」以上である場合、直前の筆記速度Ｌは「高速」であると判断される（Ｓ８１：ＹＥＳ）。この場合、ＲＡＭ２２のディレイ時間ＤＴに、Ｈｉｇｈが設定される（Ｓ８３）。
【００４６】
ステップＳ７９で取得された直前の筆記速度Ｌが「高速」でない場合（Ｓ８１：ＮＯ）、直前の筆記速度Ｌが「低速」であるか否かが判断される（Ｓ８５）。例えば直前の筆記速度Ｌが「秒速１０ｍｍ」未満である場合、直前の筆記速度Ｌは「低速」であると判断される（Ｓ８５：ＹＥＳ）。この場合、ＲＡＭ２２のディレイ時間ＤＴに、Ｌｏｗが設定される（Ｓ８７）。
【００４７】
ステップＳ７９で取得された直前の筆記速度Ｌが「低速」でない場合（Ｓ８５：ＮＯ）、直前の筆記速度Ｌは「中速」である。この場合、ＲＡＭ２２のディレイ時間ＤＴに、Ｍｉｄが設定される（Ｓ８９）。ステップＳ８３，Ｓ８７，Ｓ８９のいずれかの実行後、ステップＳ２３と同じ処理が実行され（Ｓ９１）、処理はステップＳ５３に戻る。
【００４８】
第二実施形態の表示制御処理（図６参照）によって、表示部５の表示状態が次のように変化する。以下では、第一実施形態と異なる点を説明する。ペンダウンされた後にペンアップされると、直前の筆記速度Ｌに基づいて、Ｌｏｗ、Ｍｉｄ、Ｈｉｇｈのいずれかがディレイ時間ＤＴに設定される（Ｓ７１：ＹＥＳ、Ｓ７９〜Ｓ８９）。カウンタｄＣＮＴがディレイ時間ＤＴ（つまり、Ｌｏｗ、Ｍｉｄ、Ｈｉｇｈのいずれか）に達する前にペンダウンされると、表示部５は記入報知パターンから変化しない（Ｓ６３：ＹＥＳ、Ｓ６５：ＹＥＳ、Ｓ６７、Ｓ６９）。一方、ペンダウンされることなくカウンタｄＣＮＴがディレイ時間ＤＴを超えると、表示部５は記入報知パターンから通常パターンに変化する（Ｓ５７：ＹＥＳ、Ｓ５９、Ｓ６１）。
【００４９】
図７は、ユーザが７回のペンダウンによって用紙１１１に情報を記入した場合における、表示部５の表示状態の変化を示している。ユーザが１回目のペンダウンを行うと、表示部５は記入報知パターンから通常パターンに変化する。１回目のペンダウンでは、末尾の筆記速度（つまり、直前の筆記速度Ｌ）が「低速」である。したがって、直後に実行される１回目のペンアップでは、ディレイ時間ＤＴは「Ｌｏｗ」（０．７秒）に設定される。２回目、５回目、及び７回目のペンダウンについても同様である。
【００５０】
４回目のペンダウンでは、直前の筆記速度Ｌが「中速」である。したがって、直後に実行される４回目のペンアップでは、ディレイ時間ＤＴは「Ｍｉｄ」（０．５秒）に設定される。６回目のペンダウンについても同様である。３回目のペンダウンでは、直前の筆記速度Ｌが「高速」である。したがって、直後に実行される３回目のペンアップでは、ディレイ時間ＤＴは「Ｈｉｇｈ」（０．３秒）に設定される。
【００５１】
１回目のペンアップ（０．３秒）、２回目のペンアップ（０．１秒）、及び５回目のペンアップ（０．２秒）はいずれも０．７秒以下であるため、表示部５は記入報知パターンから変化しない。４回目のペンアップ（０．３秒）及び６回目のペンアップ（０．１秒）はいずれも０．５秒以下であるため、表示部５は記入報知パターンから変化しない。
【００５２】
３回目のペンアップ（０．７秒）では、ペンアップから０．３秒を超えた時点で、表示部５は記入報知パターンから通常パターンに変化する。表示部５は、通常パターンが０．４秒継続したのち、４回目のペンダウンによって記入報知パターンに変化する。ユーザが７回目のペンダウンを行ったのち、０．５秒が経過すると、表示部５は記入報知パターンから通常パターンに変化する。
【００５３】
以上説明したように、第二実施形態によれば、第一実施形態と同様に、ユーザにとって目障りになることを抑制しつつ、電子ペン３の記入状態に応じて表示部５の表示状態を変化させることができる。さらに第二実施形態では、最新の線画データに基づいて、電子ペン３の移動速度（直前の筆記速度Ｌ）が特定される（Ｓ７９）。特定された移動速度に基づいて、ディレイ時間ＤＴが設定される（Ｓ８１〜Ｓ８９）。したがって、ユーザの筆記速度に応じて、最適なディレイ時間ＤＴを設定できる。
【００５４】
一般的に、記入する線画の末尾がトメである場合、人間は線画の末尾をしっかりと止めてから次の線画を書き始める。記入する線画の末尾がハネ又はハライである場合、人間は線画の末尾をしっかりと止めずに次の線画を書き始める。線画の末尾をしっかりと止めてから次の線画を書き始める場合、線画の末尾をしっかりと止めずに次の線画を書き始める場合よりも、次の線画を書き始めるまで所要時間が長くなりやすい。本実施形態では、直前の筆記速度Ｌが大きいほど、ディレイ時間ＤＴが長くなる（Ｓ８１〜Ｓ８９）。したがって、ユーザが記入する線画の特性に応じて、最適なディレイ時間ＤＴを設定できる。
【００５５】
図８及び図９を参照し、第三実施形態の表示制御処理を説明する。第三実施形態の表示制御処理では、フラグｄＦＬＧ、カウンタｄＣＮＴ、及びディレイ時間ＤＴが、ＲＡＭ２２に記憶される（Ｓ１０１）。ステップＳ１０１では、ＲＡＭ２２のフラグｄＦＬＧに、「Ｆａｌｓｅ」が設定される。ＲＡＭ２２のカウンタｄＣＮＴに「０」が設定される。ＲＡＭ２２のディレイ時間ＤＴに、所定の初期値（例えば、０．５秒）が設定される。
【００５６】
ステップＳ１０１以降に実行されるステップＳ１０３〜Ｓ１２１の各処理は、第一実施形態のステップＳ３〜Ｓ２１（図４参照）の各処理と同じであるため、説明を省略する。ステップＳ１２１の実行後、過去に取得された線画データに基づいて、後述する統計値Ｒが取得される（Ｓ１２３）。ＲＡＭ２２のディレイ時間ＤＴに、統計値Ｒが設定される（Ｓ１２５）。その後、ステップＳ２３と同じ処理が実行され（Ｓ１２７）、処理はステップＳ１０３に戻る。
【００５７】
ステップＳ７９では、以下に説明するように、各種手法で統計値Ｒを取得可能である。第一の手法では、ＣＰＵ２１は、最新の線画データを取得するごとに、最新の線画データと直前の線画データとに基づいて、記入間隔時間を取得する。記入間隔時間は、直前の線画の記入が完了した時点から、最新の線画の記入を開始するまでの経過時間である。つまり、ＣＰＵ２１は、時系列に隣り合う二つの線画データ毎に、先に取得された線画データが示す軌跡の末尾が検出された時点から、後に取得された線画データが示す軌跡の先頭が検出された時点までの間隔時間を取得する。ＣＰＵ２１は、取得した全ての記入間隔時間の平均値を算出する。ＣＰＵ２１は、算出した平均値に「１．０以上」の係数（例えば、２．０）を乗算することで、統計値Ｒを取得する。
【００５８】
第二及び第三の手法では、ＣＰＵ２１は、フラッシュＲＯＭ２３に記憶されている統計テーブル９０に基づいて、統計値Ｒを取得する。図９に示すように、統計テーブル９０は、範囲、クラス、頻度を対応付けて記憶する。範囲は、所定の時間幅（本例では、１秒間）を、所定の時間単位（本例では、０．１秒単位）で区切った時間幅である。クラスは、範囲が定める時間幅の中央値である。ＣＰＵ２１は最新の線画データを取得するごとに、記入間隔時間を取得する。ＣＰＵ２１は、統計テーブル９０において、取得した記入間隔時間が該当する範囲を特定し、特定した範囲に対応する頻度を「１」加算する。
【００５９】
第二の手法では、ＣＰＵ２１は、統計テーブル９０を参照して、最も大きい頻度に対応するクラスを特定する。ＣＰＵ２１は、特定したクラスに「１．０以上」の係数（例えば、２．０）を乗算することで、統計値Ｒを取得する。図９に示す例では、最も大きい頻度は「１２」であるため、クラス「０．３５」と係数「２．０」の乗算によって統計値Ｒ「０．７」が取得される。
【００６０】
第三の手法では、ＣＰＵ２１は、統計テーブル９０を参照して、「１」以上の頻度に対応する範囲のうち、最も大きい範囲に対応するクラスを特定する。ＣＰＵ２１は、特定したクラスに「１．０以上」の係数（例えば、１．２）を乗算することで、統計値Ｒを取得する。図９に示す例では、ＣＰＵ２１は、最も大きい範囲は「〜０．７」であるため、クラス「０．６５」と係数「１．２」の乗算によって統計値Ｒ「０．７８」が取得される。
【００６１】
第三実施形態の表示制御処理（図８参照）によって、表示部５の表示状態が次のように変化する。以下では、第一実施形態と異なる点を説明する。ペンダウンされた後にペンアップされると、統計値Ｒがディレイ時間ＤＴに設定される（Ｓ１２１：ＹＥＳ、Ｓ１２３、Ｓ１２５）。カウンタｄＣＮＴがディレイ時間ＤＴ（つまり、統計値Ｒ）に達する前にペンダウンされると、表示部５は記入報知パターンから変化しない（Ｓ１１３：ＹＥＳ、Ｓ１０５：ＹＥＳ、Ｓ１１７、Ｓ１１９）。一方、ペンダウンされることなくカウンタｄＣＮＴがディレイ時間ＤＴを超えると、表示部５は記入報知パターンから通常パターンに変化する（Ｓ１０７：ＹＥＳ、Ｓ１０９、Ｓ１１１）。
【００６２】
以上説明したように、第三実施形態によれば、第一実施形態と同様に、ユーザにとって目障りになることを抑制しつつ、電子ペン３の記入状態に応じて表示部５の表示状態を変化させることができる。さらに第三実施形態では、取得された複数の線画データに基づいて複数の記入間隔時間を取得し、取得した複数の記入間隔時間の統計値Ｒが特定される（Ｓ１２３）。特定された統計値Ｒに基づいて、ディレイ時間ＤＴが設定される（Ｓ１２５）。したがって、ユーザの記入間隔時間に応じて、最適なディレイ時間ＤＴを設定できる。
【００６３】
第一の手法では、複数の記入間隔時間の平均値に基づいて、統計値Ｒが特定される。第二の手法では、複数の記入間隔時間のうちで最多の記入間隔時間が分類される時間幅に基づいて、統計値Ｒが特定される。第三の手法では、複数の記入間隔時間の最大値に基づいて、統計値Ｒが特定される。したがって、ユーザに応じて最適な手法を選択することで、最適なディレイ時間ＤＴを設定できる。
【００６４】
一般的に、例えばユーザは情報の記入中に考えを整理するために、情報の記入を中止してペンアップすることがある。情報の記入が中止されている状態で生じる記入間隔時間は、通常の記入状態で生じる記入間隔時間よりも、過剰に大きくなりやすい。情報の記入が中止されている状態で生じる記入間隔時間を含めて統計値Ｒを算出すると、統計値Ｒが適正な値にならない可能性がある。そこで、第一の手法では、所定の閾値（例えば、１秒）を超える記入間隔時間は含めずに、記入間隔時間の平均値が算出されることが好ましい。第二、第三の手法では、ＣＰＵ２１は、取得した記入間隔時間が「１秒」を超える場合、頻度が加算されないことが好ましい。
【００６５】
第一〜第三の手法では、所定タイミングから現在までに取得された複数の線画データを用いて、統計値Ｒが取得されればよい。所定タイミングとしては、読取装置２の製品出荷時、読取装置２の電源ＯＮ時、読取装置２のリセット時などが例示される。所定時間前から現在までに取得された複数の線画データ（例えば、直前の１０秒間で取得された複数の線画データ）を用いて、統計値Ｒが取得されてもよい。係数、クラス、範囲等は、上記の例に限定されず変更可能である。
【００６６】
図１０を参照し、第四実施形態の表示制御処理を説明する。第四実施形態の表示制御処理では、ステップＳ１（図４参照）と同様に、フラグｄＦＬＧ、カウンタｄＣＮＴ、及びディレイ時間ＤＴが、ＲＡＭ２２に記憶される（Ｓ１５１）。次いで、特定操作ありか否かが判断される（Ｓ１５３）。特定操作は、読取装置２に対して所定の指示を行うユーザの操作である。例えば電子ペン３を用いて保存チェックボックス１１１Ａにチェックマークが入力された場合、特定操作ありと判断される（Ｓ１５３：ＹＥＳ）。
【００６７】
この場合、表示部５の表示状態が実行報知パターンに制御される（Ｓ１５５）。実行報知パターンは、通常パターン及び記入報知パターンとは異なる、表示部５の表示状態である。例えば表示部５が実行報知パターンである場合、表示部５が有する３つのＬＥＤがいずれも黄色で点滅する。ユーザは実行報知パターンの表示部５を目視することで、例えば読取装置２が線画データの保存中であることを認識できる。
【００６８】
ステップＳ１５３又はＳ１５５の以降に実行されるステップＳ１５７〜Ｓ１７７の各処理は、第一実施形態のステップＳ３〜Ｓ２３（図４参照）の各処理と同じであるため、説明を省略する。第四実施形態の表示制御処理（図１０参照）によって、表示部５の表示状態が次のように変化する。特定操作がない場合、第一実施形態と同様に表示部５の表示状態が変化する。特定操作がある場合、表示部５の表示状態は通常パターン又は記入報知パターンから実行報知パターンに変化する（Ｓ１５３：ＹＥＳ、Ｓ１５５）。
【００６９】
以上説明したように、第四実施形態によれば、第一実施形態と同様に、ユーザにとって目障りになることを抑制しつつ、電子ペン３の記入状態に応じて表示部５の表示状態を変化させることができる。さらに第四実施形態では、取得された線画データが所定の指示を示す場合、表示部５の表示状態が実行報知パターンに切り替えられる（Ｓ１５３：ＹＥＳ、Ｓ１５５）。したがって、通常パターン又は実行報知パターンの表示状態をキャンセルして、実行報知パターンの表示状態を優先的に実行できる。
【００７０】
上記第一〜第四実施形態において、読取装置２が本発明の「情報入力装置」の一例である。読取部２Ｌ，２Ｒが本発明の「検出手段」の一例である。電子ペン３が本発明の「筆記具」の一例である。線画データを取得するＣＰＵ２１が、本発明の「データ取得手段」の一例である。表示部５が本発明の「表示手段」の一例である。ペンアップが本発明の「第一状態」の一例である。ペンダウンが本発明の「第二状態」の一例である。記入報知パターンが本発明の「第一パターン」の一例である。ステップＳ１９、Ｓ６９、Ｓ１１９、Ｓ１７３のいずれかを実行するＣＰＵ２１が、本発明の「第一表示制御手段」の一例である。ステップＳ５、Ｓ５５、Ｓ１０５、Ｓ１５９のいずれかを実行するＣＰＵ２１が、本発明の「カウント手段」の一例である。通常パターンが本発明の「第二パターン」の一例である。ステップＳ１１、Ｓ６１、Ｓ１１１、Ｓ１６５のいずれかを実行するＣＰＵ２１が、本発明の「第二表示制御手段」の一例である。
【００７１】
ステップＳ１を実行するＣＰＵ２１が、本発明の「第一設定手段」の一例である。ステップＳ７９を実行するＣＰＵ２１が、本発明の「速度特定手段」の一例である。ステップＳ８１〜Ｓ８９を実行するＣＰＵ２１が、本発明の「第二設定手段」の一例である。ステップＳ１２３を実行するＣＰＵ２１が、本発明の「統計値特定手段」の一例である。ステップＳ１２５を実行するＣＰＵ２１が、本発明の「第三設定手段」の一例である。ステップＳ１５５を実行するＣＰＵ２１が、本発明の「第三表示制御手段」の一例である。
【００７２】
本発明は上記実施形態に限定されるものではなく、種々の変更が可能である。読取装置２は他の方法で電子ペン３の位置を検出してもよい。例えば読取装置２はタッチパネルを備えてもよい。タッチパネルの駆動方式は、抵抗膜方式であることが好ましい。タッチパネル上に紙媒体１００が置かれてもよい。ＣＰＵ２１は、電子ペン３によって紙媒体１００の用紙１１１に線画を記入する動作が行われた場合、タッチパネルを介して筆圧が加えられた位置を検出してもよい。
【００７３】
表示部５は、３つのＬＥＤを有するものに限定されず、複数パターンの表示状態を切り替え可能であればよい。例えば、表示部５は、画像を表示するディスプレイでもよい。通常パターン、記入報知パターン、及び実行報知パターンは、互いに異なる表示状態であればよい。例えば、表示部５が単色で発光可能な一つのＬＥＤである場合、通常パターンでは表示部５が消灯し、記入報知パターンでは表示部５が点灯し、実行報知パターンでは表示部５が点滅してもよい。
【００７４】
第一〜第四実施形態は組み合わせてもよい。例えば、第二及び第三実施形態においても、第四実施形態と同様に、特定操作がある場合、表示部５の表示状態が通常パターン又は記入報知パターンから実行報知パターンに変化されてもよい。
【符号の説明】
【００７５】
２    読取装置
２Ｌ，２Ｒ    読取部
３    電子ペン
５    表示部
２１    ＣＰＵ
２２    ＲＡＭ
２３    フラッシュＲＯＭ
１００    紙媒体
１１１    用紙
【図１】
2015064690.tif 000003
【図２】
2015064690.tif 000004
【図３】
2015064690.tif 000005
【図４】
2015064690.tif 000006
【図５】
2015064690.tif 000007
【図６】
2015064690.tif 000008
【図７】
2015064690.tif 000009
【図８】
2015064690.tif 000010
【図９】
2015064690.tif 000011
【図１０】
2015064690.tif 000012